【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
微多孔性支持膜上に形成された多官能性アミンと多官能性酸ハロゲン化物との反応物からなる分離機能層を備える複合半透膜であって、該分離機能層に、該分離機能層を構成するアミノ基と接触することにより共有結合を形成する水溶性有機物または陽イオン界面活性剤を接触させており、かつ、２５℃、ｐＨ６．５、ホウ素濃度５ｐｐｍ、およびＴＤＳ濃度３．５重量％の海水を５．５ＭＰａの操作圧力で透過させたとき、９５％以上のホウ素除去率を有する、複合半透膜。
【請求項２】
陽電子消滅寿命測定法により測定されるとき、該分離機能層が０．２５ｎｍ以上０．３５ｎｍ以下の平均孔半径を有しかつ０．２ｎｍ３％以上０．３ｎｍ３％以下の空孔量を有する、請求項１に記載の複合半透膜。
【請求項３】
２５℃、ｐＨ６．５、ホウ素濃度５ｐｐｍ、およびＴＤＳ濃度３．５重量％の海水を５．５ＭＰａの操作圧力で透過させたとき９９．５％以上の塩除去率または３×１０−８ｍ／ｓ以下の塩透過係数を有する処理すべき複合半透膜を該水溶性有機物または該陽イオン界面活性剤に接触させることにより得られるものである、請求項１または２に記載の複合半透膜。
【請求項４】
該水溶性有機物が、ホルミル基を有する化合物、ホルミル基を有する化合物の誘導体、オキシラニル基を有する化合物、オキシラニル基を有する化合物の誘導体、酸ハロゲン化物、炭酸エステル誘導体、カルバミン酸エステル誘導体、およびハロゲン化アルキルからなる群から選ばれる化合物または誘導体からなる、請求項１〜３のいずれかに記載の複合半透膜。
【請求項５】
該ホルミル基を有する化合物が、共有結合によりアミンと結合できる官能基を２以上有するアルデヒドである、請求項４に記載の複合半透膜。
【請求項６】
該オキシラニル基を有する化合物が、共有結合によりアミンと結合できる官能基を２以上有するエポキシドである、請求項４に記載の複合半透膜。
【請求項７】
該陽イオン界面活性剤が第四級アンモニウム塩である請求項１〜３のいずれかに記載の複合半透膜。
【請求項８】
該第四級アンモニウム塩が、塩化アルキルトリメチルアンモニウム、塩化ジステアリルジメチルベンジルアンモニウム、塩化ステアリルジメチルベンジルアンモニウム、塩化ステアリルトリメチルベンジルアンモニウム、塩化セチルトリメチルアンモニウム、塩化セチルピリジウム、塩化ベンザルコニウム、塩化トリｎ−オクチルアンモニウム、塩化ベンゼトニウム、および塩化ラウリルトリメチルアンモニウムから選ばれる少なくとも１つである請求項７に記載の複合半透膜。
【請求項９】
微多孔性支持膜上で多官能性アミンと多官能性酸ハロゲン化物とを接触させて重縮合によりポリアミドからなる分離機能層を形成すること、および、２５℃、ｐＨ６．５、ホウ素濃度５ｐｐｍ、およびＴＤＳ濃度３．５重量％の海水を５．５ＭＰａの操作圧力で透過させたときのホウ素除去率が９５％以上になるまで、該分離機能層を、該分離機能層を構成するアミノ基と接触することにより共有結合を形成する水溶性有機物または陽イオン界面活性剤と接触させることを備える、複合半透膜の製造方法。
【手続補正２】
【補正対象書類名】明細書
【補正対象項目名】発明の名称
【補正方法】変更
【補正の内容】
【発明の名称】複合半透膜、およびその製造方法
【手続補正３】
【補正対象書類名】明細書
【補正対象項目名】０００１
【補正方法】変更
【補正の内容】
【０００１】
本発明は、液体混合物の選択的分離に有用な複合半透膜およびその製造方法に関する。例えば本発明は、微多孔性支持膜上に形成されたポリアミドからなる分離機能層を備える複合半透膜であって、海水やかん水からホウ素を除去するのに有利な複合半透膜、およびその製造方法に関する。
【手続補正４】
【補正対象書類名】明細書
【補正対象項目名】０００９
【補正方法】変更
【補正の内容】
【０００９】
特に本発明は以下に関するものである。
（１）微多孔性支持膜上に形成された多官能性アミンと多官能性酸ハロゲン化物との反応物からなる分離機能層を備える複合半透膜であって、該分離機能層に、該分離機能層を構成するアミノ基と接触することにより共有結合を形成する水溶性有機物または陽イオン界面活性剤を接触させており、かつ、２５℃、ｐＨ６．５、ホウ素濃度５ｐｐｍ、およびＴＤＳ濃度３．５重量％の海水を５．５ＭＰａの操作圧力で透過させたとき、該分離機能層が９５％以上のホウ素除去率を有する、複合半透膜。
（２）陽電子消滅寿命測定法により測定されるとき、該分離機能層が０．２５ｎｍ以上０．３５ｎｍ以下の平均孔半径を有しかつ０．２ｎｍ３％以上０．３ｎｍ３％以下の空孔量を有する、（１）に記載の複合半透膜。
【手続補正５】
【補正対象書類名】明細書
【補正対象項目名】００１０
【補正方法】変更
【補正の内容】
【００１０】
（３）２５℃、ｐＨ６．５、ホウ素濃度５ｐｐｍ、およびＴＤＳ濃度３．５重量％の海水を５．５ＭＰａの操作圧力で透過させたとき９９．５％以上の塩除去率または３×１０−８ｍ／ｓ以下の塩透過係数を有する処理すべき複合半透膜を該水溶性有機物または該陽イオン界面活性剤に接触させることにより得られるものである、（１）または（２）に記載の複合半透膜。
【手続補正６】
【補正対象書類名】明細書
【補正対象項目名】００１１
【補正方法】変更
【補正の内容】
【００１１】
（４）該水溶性有機物が、ホルミル基を有する化合物、ホルミル基を有する化合物の誘導体、オキシラニル基を有する化合物、オキシラニル基を有する化合物の誘導体、酸ハロゲン化物、炭酸エステル誘導体、カルバミン酸エステル誘導体、およびハロゲン化アルキルからなる群から選ばれる化合物または誘導体からなる、（１）〜（３）のいずれかに記載の複合半透膜。
（５）該ホルミル基を有する化合物が、共有結合によりアミンと結合できる官能基を２以上有するアルデヒドである、（４）に記載の複合半透膜。
（６）該オキシラニル基を有する化合物が、共有結合によりアミンと結合できる官能基を２以上有するエポキシドである、（４）に記載の複合半透膜。
（７）該陽イオン界面活性剤が第四級アンモニウム塩である（１）〜（３）のいずれかに記載の複合半透膜。
（８）該第四級アンモニウム塩が、塩化アルキルトリメチルアンモニウム、塩化ジステアリルジメチルベンジルアンモニウム、塩化ステアリルジメチルベンジルアンモニウム、塩化ステアリルトリメチルベンジルアンモニウム、塩化セチルトリメチルアンモニウム、塩化セチルピリジウム、塩化ベンザルコニウム、塩化トリｎ−オクチルアンモニウム、塩化ベンゼトニウム、および塩化ラウリルトリメチルアンモニウムから選ばれる少なくとも１つである（７）に記載の複合半透膜。
【手続補正７】
【補正対象書類名】明細書
【補正対象項目名】００１２
【補正方法】変更
【補正の内容】
【００１２】
（９）微多孔性支持膜上で多官能性アミンと多官能性酸ハロゲン化物とを接触させて重縮合によりポリアミドからなる分離機能層を形成すること、および、２５℃、ｐＨ６．５、ホウ素濃度５ｐｐｍ、およびＴＤＳ濃度３．５重量％の海水を５．５ＭＰａの操作圧力で透過させたときのホウ素除去率が９５％以上になるまで、該分離機能層を、該分離機能層を構成するアミノ基と接触することにより共有結合を形成する水溶性有機物または陽イオン界面活性剤と接触させることを備える、複合半透膜の製造方法。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１７
【補正方法】変更
【補正の内容】
【００１７】
本発明の複合半透膜は、かん水または海水からホウ素含有量の低い淡水を得るための複合半透膜として好適に用いられるものであり、そして、微多孔性支持膜上に形成された多官能性アミンと多官能性酸ハロゲン化物との反応生成物からなり、２５℃、ｐＨ６．５、ホウ素濃度５ｐｐｍ、およびＴＤＳ濃度３．５重量％の海水を５．５ＭＰａの操作圧力で透過させたとき９５％以上のホウ素除去率を有する分離機能層が、該分離機能層を構成するアミノ基と接触することにより共有結合を形成する水溶性有機物または陽イオン界面活性剤と接触されている、複合半透膜である。
【手続補正１２】
【補正対象書類名】明細書
【補正対象項目名】００３３
【補正方法】変更
【補正の内容】
【００３３】
また、上記の性能を有する複合半透膜を得るため、該分離機能層を構成するアミノ基と接触することにより共有結合を形成する水溶性有機物または陽イオン界面活性剤を接触させるとき、処理すべき複合半透膜は、２５℃、ｐＨ６．５、ホウ素濃度５ｐｐｍ、およびＴＤＳ３．５重量％の海水を５．５ＭＰａの操作圧力で透過させるときの塩除去率が９９．５％以上であるかまたは塩透過係数が３×１０−８ｍ／ｓ以下であることが好ましい。これらの範囲を満たさない複合半透膜に対して処理を行うと、高濃度の水溶性有機物または陽イオン界面活性剤に長時間接触する必要が生じて処理の効率が著しく悪くなることがある。さらに好ましくは、該塩除去率が９９．７％以上または塩透過係数が３×１０−８ｍ／ｓ以下である。なお、塩透過係数が指す「塩」は、実用塩分（Ｓ）の「塩」と同義である。
【手続補正１３】
【補正対象書類名】明細書
【補正対象項目名】００３４
【補正方法】変更
【補正の内容】
【００３４】
架橋芳香族ポリアミドを成分として含む重合体からなる分離機能層の場合、分離機能層を構成するアミノ基と接触して共有結合を形成する水溶性有機物、または、陽イオン界面活性剤のいずれかを使用することで本発明が達成される。